(57)【特許請求の範囲】
【請求項１】
一方を加入者端末、他方を無線回線それぞれに接続して電話サービスを提供する無線端末加入者装置において、装置内部に設定する内部設定とこの内部設定それぞれに対応して予め定められたダイヤル特番とを記憶する特番メモリと、前記加入者端末として接続する電話機から受けるフッキング操作を検出し、所定のフッキング操作の検出後に受けるダイヤル番号入力を前記内部設定に対応する特番と判断して処理する加入者回路と、この受けた特番に基づき前記内部設定の一つを前記特番メモリから選択して記憶する内部設定メモリとを備えることを特徴とする無線端末加入者装置。
【請求項２】
請求項１において、前記加入者回路は、前記特番として入力するダイヤル番号の桁数を計測する受信桁数計測部と、所定の桁数に達した際に特番の入力完了と判断する入力完了判断部とを備えることを特徴とする無線端末加入者装置。
【請求項３】
請求項１において、前記加入者回路は、前記フッキング操作を受けた際に計測を開始するタイマと、このタイマで予め定められた時限値を超過した際に特番の入力完了と判断する入力完了判断部とを備えることを特徴とする無線端末加入者装置。
【請求項４】
請求項１において、前記加入者回路は、前記特番として受けるダイヤル番号に続いて入力するフッキング操作の信号を検出した際に特番の入力完了と判断する入力完了判断部を備えることを特徴とする無線端末加入者装置。
【請求項５】
請求項１において、前記加入者回路は、前記特番として受けるダイヤル番号に続いて入力するオンフック操作の信号を検出した際に特番の入力完了と判断する入力完了判断部を備えることを特徴とする無線端末加入者装置。
【請求項６】
請求項１において、前記特番メモリは複数の通信信号処理方式それぞれに対応して予め定められたダイヤル特番を含み、通信信号処理部は伝送信号を受けた際に前記内部設定メモリから読み出され内部設定として設定された通信信号処理方式に基づいて前記伝送信号を処理することを特徴とする無線端末加入者装置。
【請求項７】
請求項６において、前記通信信号処理部は、基本の通信信号処理方式が３２ｋｂｐｓコーデックを用いるＡＤＰＣＭ（適応差分ＰＣＭ）方式であり、他の方式を選択した際には前記コーデックを切換えて、複数チャネルを用いる６４ｋｂｐｓＰＣＭ方式を適用することを特徴とする無線端末加入者装置。
【請求項８】
請求項６において、前記通信信号処理部は、基本の通信信号処理方式が１チャネル３２ｋｂｐｓのＰＨＳ（パーソナルハンディホンシステム）であり、他の方式を選択することにより、２チャネルを用いる６４ｋｂｐｓＰＣＭ方式に切換えることを特徴とする無線端末加入者装置。
【発明の詳細な説明】
【０００１】
【発明の属する技術分野】
本発明は、ＷＬＬ（ワイアレスローカルループ）により一方を加入者端末、他方を無線回線それぞれに接続して電話サービスを提供する無線端末加入者装置に関し、特に、回転ダイヤル式電話機から前記加入者端末の内部情報を設定または設定変更ができると共に、複数の通信信号処理方式に対応しその一つを選択できる無線端末加入者装置に関する。
【０００２】
【従来の技術】
従来、この種の無線端末加入者装置では、接続される加入者端末として電話機以外にデータ伝送装置が含まれる。このため、加入者端末は上位装置に対して端末情報および加入者が求めるサービス情報を送ることができる。従って、加入者端末ではこれら端末情報を内部に設定しており、加入者端末の操作により内部設定の変更が可能である。
【０００３】
例えば、特開平１０−２９４６９５号公報では、図６に示されるように、加入者端末から受ける通信信号は設定／通信切換制御部１０１から通常通信モジュール１０２およびアンテナを介して無線回線に発信される。一方、内部設定を変更する際には、電話番号として普段用いられていない信号を促設定信号とし、この信号に続いて設定内容信号の入力が設定終了信号の入力まで継続する。
【０００４】
従って、設定／通信切換制御部１０１が、加入者端末から入力された信号が通信信号か促設定信号かを判定し、促設定信号であると判定した場合には加入者端末から設定終了信号の入力を受けるまでの間、加入者端末から受ける設定内容信号を内部設定処理部１０３に送り込む。内部設定処理部１０３は入力を受けた設定内容信号に従って内部設定またはその変更を行なう。
【０００５】
上述した公開公報において促設定信号は、通信信号と区別するため、ＰＢ（プッシュボタン）電話機の数字以外のボタン符号が用いられている。
【０００６】
【発明が解決しようとする課題】
上述した従来の無線端末加入者装置では、次のような問題点がある。
【０００７】
第１の問題点は、回転ダイヤル式（ＤＰ：ダイヤルパルス）電話機では内部設定の変更ができないことである。
【０００８】
その理由は、内部設定またはその変更の際、設定内容を示す設定内容信号の前に、促設定信号としてダイヤル数字以外のボタン符号を用いる必要があるからである。
【０００９】
第２の問題点は、加入者端末が加入する加入者無線システムを加入者端末の操作で変更または指定できないことである。
【００１０】
その理由は、設定内容が、加入者端末から上位装置へ送る情報に限定されており、加入者端末側における通信サービスの変更を含まないからである。
【００１１】
本発明の課題は、このような問題点を解決し、回転ダイヤル式電話機から前記加入者端末の内部情報を設定または設定変更ができると共に複数の通信信号処理方式に対応しその一つを選択できる無線端末加入者装置を提供することである。
【００１２】
【課題を解決するための手段】
本発明による無線端末加入者装置は、一方を加入者端末、他方を無線回線それぞれに接続して電話サービスを提供するものであって、装置内部に設定する内部設定とこの内部設定それぞれに対応して予め定められたダイヤル特番とを記憶する特番メモリと、加入者端末として接続する電話機から受けるフッキング操作を検出し、所定のフッキング操作の検出後に受けるダイヤル番号入力を内部設定に対応する特番と判断して処理する加入者回路と、この受けた特番に基づき内部設定の一つを特番メモリから選択して記憶する内部設定メモリとを備え、フッキング操作とダイヤル番号のみを用いて前記内部設定を可能としている。このような構成により、回転ダイヤル式のＤＰ電話機からの内部設定およびその変更ができる。
【００１３】
また、加入者回路は、特番として入力するダイヤル番号の桁数を計測する受信桁数計測部と、所定の桁数に達した際に特番の入力完了と判断する入力完了判断部とを備えること、フッキング操作を受けた際に計測を開始するタイマと、このタイマで予め定められた時限値を超過した際に特番の入力完了と判断する入力完了判断部とを備えること、特番として受けるダイヤル番号に続いて入力するフッキング操作の信号を検出した際に特番の入力完了と判断する入力完了判断部を備えること、特番として受けるダイヤル番号に続いて入力するオンフック操作の信号を検出した際に特番の入力完了と判断する入力完了判断部を備えること、および特番として受けるダイヤル番号に続いて入力するオンフック操作の信号を検出した際に特番の入力完了と判断する入力完了判断部を備えることの、いずれであってもよい。
【００１４】
また、特番メモリは複数の通信信号処理方式それぞれに対応して予め定められたダイヤル特番を含み、通信信号処理部は伝送信号を受けた際に内部設定メモリから読み出され内部設定として設定された通信信号処理方式に基づいて伝送信号を処理している。従って、通信信号処理部は、基本の通信信号処理方式が３２ｋｂｐｓコーデックを用いるＡＤＰＣＭ（適応差分ＰＣＭ）方式であり、他の方式を選択した際には上記コーデックを切換えて、複数チャネルを用いる６４ｋｂｐｓＰＣＭ方式を適用でき、また、通信信号処理部は、基本の通信信号処理方式が１チャネル３２ｋｂｐｓのＰＨＳ（パーソナルハンディホンシステム）であり、他の方式を選択することにより、２チャネルを用いる６４ｋｂｐｓＰＣＭ方式に切換えることもできる。
【００１５】
【発明の実施の形態】
次に、本発明の実施の形態について図面を参照して説明する。
【００１６】
図１は本発明の実施の一形態を示す機能ブロック図である。図示される部分は本発明に直接関係するものであって、これ以外の機能ブロックは図示を省略されている。
【００１７】
図１に示された無線端末である加入者装置１は、加入者回路１０、通信信号処理部２０、無線Ｉ／Ｆ（インタフェース）部３０、内部設定メモリ３１、内部設定制御部３２、および特番メモリ３３により構成されている。また、加入者回路１０は、フッキング検出中継部１１、通信路切換部１２、入力番号蓄積部１３、タイマ１４、蓄積桁数計測部１５、入力完了判断部１６および制御部１７を有している。
【００１８】
フッキング検出中継部１１は、加入者端末の電話機からオンフック信号またはオフフック信号を検出し、タイマ１４および制御部１７へ通知する。所定時限内のオンフック・オフフック・オンフックによる状態変化はフッキングとして検出される。通信路切換部１２は、制御部１７の制御を受け、加入者端末を通信信号処理部２０または入力番号蓄積部１３に接続する。
【００１９】
入力番号蓄積部１３は、通信路切換部１２を介して加入者端末から入力されるダイヤル番号を蓄積し、制御部１７の制御により内部設定制御部３２へ送出する。
【００２０】
タイマ１４はフッキング検出中継部１１でフッキング状態を検出した際に所定の時限計測を開始し、時限値に達した際に入力完了判断部１６に通知する。蓄積桁数計測部１５は、入力するダイヤル番号の桁数を計測し、予め設定される内容に対応する桁数に達した際に入力完了判断部１６に通知する。入力完了判断部１６は、内部設定またはその変更のための特番入力に際し、フッキング検出中継部１１からオンフック通知もしくはフッキング通知、タイマ１４から時限超過通知、または蓄積桁数計測部１５から所定の桁数の入力通知を受けた場合に特番の入力完了と判断し制御部１７へ通知する。
【００２１】
制御部１７は加入者回路１０の全般の制御を行なう。制御部１７については、後述のフローチャートを参照する中で説明する。
【００２２】
通信信号処理部２０は、無線Ｉ／Ｆ部３０およびアンテナを介して基地局および上位装置と接続し、内部設定メモリ３１に記録保存される内部設定に基づき通信信号を処理する。具体的な通信信号処理については図５を参照して後に説明する。
【００２３】
内部設定メモリ３１は、加入者装置１が実行する内部設定を内部設定制御部３２の制御により所定場所に記録保存している。内部設定制御部３２は入力ダイヤル番号蓄積部１３から受けた特番により特番メモリ３３から対応する内部設定を読み出して内部設定メモリ３１の所定場所に格納記憶（新規設定）または上書き（設定変更）により記録保存する。特番メモリ３３は、特番に対応して内部設定の内容を予め記録保存している。
【００２４】
次に図１に図２を併せ参照して、加入者回路１０の主要動作手順について説明する。
【００２５】
加入者装置１には、加入者端末としてＤＰ電話機が接続されているものとする。
【００２６】
まず、フッキング検出中継部１１がＤＰ電話機からオフフック状態を検出（手順Ｓ１）した場合、通信路切換部１２は、ＤＰ電話機を通信信号処理部２０に接続しており、通信信号処理部２０は入力する通信信号を内部設定メモリ３１の記録保存内容に従って処理する状態にある。
【００２７】
内部設定メモリ３１の記録保存内容が電話機に対する内部設定の場合、ＤＰ電話機はそのまま通信手順を継続して通話することができる。この状態で、フッキング検出中継部１１がオンフック状態を検出（手順Ｓ３）した場合、フッキング時限値を超過（手順Ｓ４のＹＥＳ）したことにより制御部１７が所定の終話処理（手順Ｓ５）を実行して手順を終了する。
【００２８】
ここで、例えば、加入者端末にモデムを接続して、６４ｋｂｐｓのＰＣＭ通信を行ないたい場合、加入者は、フッキングに続いてモデムに対する内部設定のための特番“１”をＤＰ電話機によりダイヤル操作する。
【００２９】
上記手順Ｓ４が「ＮＯ」でフッキング時限以前にオフフック状態に戻った場合にフッキングの検出（手順Ｓ１１）となり、タイマ１４の時限計測が開始（手順Ｓ１２）される。制御部１７は、フッキングの検出により通信路切換部１２を制御してＤＰ電話機との通信路接続を入力番号蓄積部１３に切換え（手順Ｓ１３）する。次いで、入力番号蓄積部１３はＤＰ電話機からダイヤルパルスによる特番“１”の番号入力（手順Ｓ１４）を受ける。
【００３０】
通常は、手順の簡便さから特番ダイヤルに続いて番号入力完了のフッキング操作が行なわれる。タイマ１４はこのフッキング操作忘れを防止できる。また、番号入力完了を識別する別の手段としてダイヤル桁数を設定することもできる。
【００３１】
ここで、図３を参照して、手順Ｓ１４の番号入力開始から入力完了判断部１６が番号入力の完了（手順Ｓ１５）を判断するまでの手順について説明する。
【００３２】
入力完了判断部１６では、蓄積桁数計測部１３が、ダイヤル番号の入力を受ける入力番号蓄積部１３の蓄積桁数を計測（手順Ｓ３１）し、内部設定の特番に予め定められた桁数を入力（手順Ｓ３２のＹＥＳ）した際に手順Ｓ１５の番号入力の完了と判断する。また、この桁数の設定がない場合または所定の桁数に未達の場合（手順Ｓ３２のＮＯ）にタイマ１４の時限値が超過（手順Ｓ３３のＹＥＳ）した際にも手順Ｓ１５の番号入力の完了が判断される。この手順Ｓ３３が「ＮＯ」でタイマ１４の時限値に未達の状態で、フッキング検出中継部１１がオンフック状態を検出（手順Ｓ３４）し、フッキング時限値を超過（手順Ｓ３５のＹＥＳ）した場合には手順Ｓ１５の番号入力の完了が判断される。更に、この手順Ｓ３５が「ＮＯ」でフッキングが検出（手順Ｓ３６）された際にも、手順Ｓ１５の番号入力の完了が判断される。これらの番号入力完了の条件は、いずれか一つでも、または少なくとも一つであってもよい。
【００３３】
例えば、特番“１”の番号入力に続いてフッキングの検出があった場合、番号入力の完了が判断される。
【００３４】
ここで、図２の手順Ｓ１５に示される番号入力完了の判断に戻る。
【００３５】
入力完了判断部１６が番号入力の完了（手順Ｓ１５）を判断した際には、制御部１７がこれを受けてタイマ１４の計測値をクリア（手順Ｓ１６）すると共に、入力したダイヤル番号を特番と判断し内部設定用として入力番号蓄積部１３に蓄積されたダイヤル番号を内部設定制御部３２へ送付（手順Ｓ１７）する。
【００３６】
ここで、図４を参照して、手順Ｓ１７により入力ダイヤル番号の送付を受けた際の内部設定制御部３２の動作手順について説明する。
【００３７】
内部設定制御部３２は、内部設定用の特番と判断される入力ダイヤル番号を受取り、特番メモリ３３で照合（手順Ｓ４１）する。内部設定制御部３２は、入力ダイヤル番号が特番メモリ３３の特番と一致（手順Ｓ４２のＹＥＳ）した場合には一致したメモリ内容により内部設定メモリ３１に上書き保存により書換え（手順Ｓ４３）し、設定完了の通知（手順Ｓ４４）を加入者回路１０の制御部１７に通知する。
【００３８】
特番“１”に対しては「加入者端末がモデム」という内部設定が記録保存されているので、特番メモリ３３の照合で一致し、内部設定メモリ３１には、「加入者端活が電話機」という内部設定に代わり「加入者端末がモデム」という内部設定が上書き保存される。この結果、説明は、再度図２に戻る。
【００３９】
制御部１７は、上記手順Ｓ４４により内部設定制御部３２から設定完了通知を受付け（手順Ｓ１８）した際には、通信路切換部１２を制御してＤＰ電話機を通信信号処理部２０と接続（手順Ｓ１９）させる。従って、通信信号処理部２０は入力する通信信号を今回入力した特番により設定された内部設定により処理することができる。この後の手順は手順Ｓ３に戻る。
【００４０】
上記手順Ｓ３５の「ＹＥＳ」でオンフックによる終話があった場合には、以降の手順が正常であれば、手順Ｓ２０の際に手順Ｓ３のオンフック状態検出が継続しているので、手順Ｓ４および手順Ｓ５を経て手順は終了する。
【００４１】
上記手順Ｓ４２が「ＮＯ」で照合した結果、特番メモリ３３に記録がない場合には所定の照合不一致処理（手順Ｓ４５）が実行される。これは、特番のダイヤル番号誤りと考えられるので最初の手順から再試行が行なわれる。
【００４２】
上記手順により、内部設定メモリ３１には、「加入者端末がモデム」という内部設定が記録保存されているので、例えば特番“０”による「加入者端末が電話機」という内部設定に切り替え指定しない限り、加入者端末にモデムを使用することができる。
【００４３】
次に、図５を参照して通信信号処理部２０について説明する。
【００４４】
通信信号処理部２０は、ＡＤＰＣＭ処理回路２１および無線チャネル制御回路２２により構成されている。ＡＤＰＣＭ処理回路２１および無線チャネル制御回路２２は内部設定メモリ３１に設定記録される内部設定に従って動作する。
【００４５】
すなわち、内部設定メモリ３１に「加入者端末が電話機」であると記録保存されている場合には、ＡＤＰＣＭ処理回路２１はＡＤＰＣＭコーデックを用いて符号化を行ない、無線チャネル制御回路２２は１チャネル３２ｋｂｐｓ分を用いて通信を行なう。従って、ＡＤＰＣＭ処理回路２１から無線回線側ではＡＤＰＣＭデータ、端末側ではＰＣＭデータそれぞれが送受信される。
【００４６】
他方、内部設定メモリ３１に「加入者端末がモデム」であると記録保存されている場合には、ＡＤＰＣＭ処理回路２１はＡＤＰＣＭコーデックを切り離して符号化処理を行なわず、無線チャネル制御回路２２は２チャネル６４ｋｂｐｓ分を用いて通信を行なう。従って、無線回線側および端末側を通してＰＣＭデータが送受信される。
【００４７】
上記説明では、図面に機能ブロックおよびフローチャートを示して説明したが、機能の併合分離などによるブロック構成の変更、または手順の前後の入換え等によるフローチャートの変更は、上記機能を満たす限り自由であり上記説明が本発明を限定するものではない。
【００４８】
【発明の効果】
以上説明したように本発明によれば、次のような効果を得ることができる。第１の効果は、ＤＰ電話機から内部設定の変更が可能なことである。
【００４９】
その理由は、内部設定およびその変更のための情報が、ＤＰ電話機で操作できるフッキングと回転ダイヤルで可能な数字との組合わせにより構成されているからである。
【００５０】
第２の効果は、ファクシミリまたはモデムなどによるデータ通信を６４ｋｂｐｓの加入者電話回線と同等の品質で提供できることである。
【００５１】
その理由は、加入者端末の操作により内容を書換え可能な内部設定メモリを有し、この設定により動作する通信信号処理部が無線回線に対して電話回線の１チャネル３２ｋｂｐｓとモデム回線の２チャネル６４ｋｂｐｓとの切換えが可能なためである。
【図面の簡単な説明】
【図１】本発明の実施の一形態を示す機能ブロック図である。
【図２】図１に示される加入者回路に対する主要手順の実施の一形態を示すフローチャートである。
【図３】図２における番号入力完了手順の実施の一形態を示すフローチャートである。
【図４】図１における内部設定制御手順の実施の一形態を示すフローチャートである。
【図５】図１における通信信号処理部の実施の一形態を示す機能ブロックである。
【図６】従来の一例を示す機能ブロック図である。
【符号の説明】
１    加入者装置
１０    加入者回路
１１    フッキング検出中継部
１２    通信路切換部
１３    入力番号蓄積部
１４    タイマ
１５    蓄積桁数計測部
１６    入力完了判断部
１７    制御部
２０    通信信号処理部
２１    ＡＤＰＣＭ処理回路
２２    無線チャネル制御回路
３０    無線Ｉ／Ｆ（インタフェース）部
３１    内部設定メモリ
３２    内部設定制御部
３３    特番メモリ
【図１】
0003673673.tif 000002
【図２】
0003673673.tif 000003
【図３】
0003673673.tif 000004
【図４】
0003673673.tif 000005
【図５】
0003673673.tif 000006
【図６】
0003673673.tif 000007